(57)【要約】【課題】吐水口や吐止水操作部の位置等を水栓設置後においても調節可能な水栓装置を提供する。【解決手段】弁部２２が内蔵されるとともに吐止水操作部１８及び吐水口１６の設けられた水栓本体１２の取付基体１０への取付基部に、給水用の配管（サプライ管）３４を内部に挿通させる筒状の伸縮自在部２８を設け、その伸縮自在部２８の伸縮変形により取付基体１０に対する吐水口１６及び吐止水操作部１８の関係位置を調節可能とする。【選択図】　　　　図３
2004092327.tif 000002
【特許請求の範囲】
【請求項１】
取付基体への水栓本体の取付基部に筒状の伸縮自在部を設け、該取付基体に対する水栓本体の吐止水操作部及び吐水口の位置を調節可能となしたことを特徴とする水栓装置。
【請求項２】
請求項１において、前記伸縮自在部が三次元方向に変形可能で、且つ変形後に変形形状を保持する蛇腹形状部を有していることを特徴とする水栓装置。
【請求項３】
請求項１において、前記伸縮自在部が固定筒部と、該固定筒部に対し軸心方向に摺動可能に嵌合された可動筒部と、該可動筒部の該固定筒部に対する軸心方向の相対関係位置を固定する固定手段とを有していることを特徴とする水栓装置。
【請求項４】
請求項３において、前記固定手段が前記可動筒部の回転方向位置を規制する回転規制手段を備えていることを特徴とする水栓装置。
【請求項５】
請求項３，４の何れかにおいて、少なくとも前記固定筒部と前記可動筒部との嵌合部が、前記取付基体の取付面と直角方向に対し傾斜していることを特徴とする水栓装置。
【発明の詳細な説明】
【０００１】
【発明の属する技術分野】
この発明は水栓装置に関し、特にカウンター等取付基体への取付構造に特徴を有するものに関する。
【０００２】
【従来の技術及び発明が解決しようとする課題】
従来、水栓装置をカウンターや洗面器等の取付基体に取り付けるに際して、水栓本体を直接取付基体の上面（取付面）に取り付けていた。
【０００３】
ところで、本来水栓装置の吐止水操作部や吐水口の位置等は水栓使用者によって適正な位置等が様々であるにも拘わらず、従来の水栓装置の場合、吐止水操作部や吐水口の位置等が水栓装置の種類によって自動的に一定位置に定まってしまう。
この場合、通常の健常者であれば吐止水操作部や吐水口の位置等がその人にとって適正な位置から少々ずれていたとしても、特に支障なく水栓装置を使用可能である。
【０００４】
しかしながら特に身体に障害を有する人の場合、例えば車椅子に座ったまま水栓装置の使用を余儀なくされる人や、或いは腰を痛めていて腰をかがめることなく伸ばしたままの姿勢で水栓装置を使用しなければならない人にとって、従来、水栓装置の吐止水操作部や吐水口の位置等が極めて操作ないし使用し辛い位置であったりする。
即ちそれらの人にとって従来の水栓装置は使用し辛いものであった。
【０００５】
この場合水栓装置を使用し易くするためには、既に設置してある水栓装置を取り除いて別の特殊な水栓装置を設置しなければならない。
しかしながら必ずしもそのような特殊な水栓装置があるとは限らず、またこれを特別に用意するとなると水栓装置製造のためのコストが高くなるとともに、極めて多種多様の水栓装置を予め用意しておかなければならなくなり、実際的にはそうしたことは現実的に困難である。
【０００６】
尤も水栓本体と取付基体との間に台座を介在させることで、吐止水操作部や吐水口の位置を高く調節し得るようにしたものも下記特許文献１に提案されている。
【０００７】
図５はその水栓装置の具体例を示している。
図中２００は水栓本体２０２と取付基体としての洗面器２０４との間に介挿された台座である。
尚２０６は水栓本体２０２の上部に設けられたシングルレバー式の吐止水操作部、２０８は水栓本体２０２から延び出した吐水管先端の吐水口である。
【０００８】
しかしながらこの特許文献１に開示の水栓装置は、洗面器２０４の上面に被さるようにしてカウンターが取り付いた場合と、そのようなカウンターが取り付けられない場合とで、吐水口２０８の高さ位置を調節できようになしたもので、従ってこの水栓装置の場合、単に吐水口２０８，吐止水操作部２０６の高さ位置が２位置の間で変化するのみであり、またこの水栓装置の場合、一旦これを設置してしまうとその後において吐水口２０８，吐止水操作部２０６等の位置を水栓使用者が調節するといったことのできないものであった。
【０００９】
尤も吐水口や吐止水操作部の位置を水栓装置設置後において調節可能となしたものも下記特許文献２，３に開示されている。
しかしながらこれら特許文献２，３に開示の水栓装置の場合、水栓本体に対し給水を行うための配管が外部に露出してしまって外観上煩雑な感じを与えてしまい、また美観の点でも不十分なものであった。
【００１０】
【特許文献１】
特開平６−２１２６７１号公報
【特許文献２】
特開平１−１２７７３５号公報
【特許文献３】
特開平７−３３１７１３号公報
【００１１】
【課題を解決するための手段】
本発明の水栓装置はこのような課題を解決するために案出されたものである。而して請求項１のものは、取付基体への水栓本体の取付基部に筒状の伸縮自在部を設け、該取付基体に対する水栓本体の吐止水操作部及び吐水口の位置を調節可能となしたことを特徴とする。
【００１２】
請求項２のものは、請求項１において、前記伸縮自在部が三次元方向に変形可能で、且つ変形後に変形形状を保持する蛇腹形状部を有していることを特徴とする。
【００１３】
請求項３のものは、請求項１において、前記伸縮自在部が固定筒部と、該固定筒部に対し軸心方向に摺動可能に嵌合された可動筒部と、該可動筒部の該固定筒部に対する軸心方向の相対関係位置を固定する固定手段とを有していることを特徴とする。
【００１４】
請求項４のものは、請求項３において、前記固定手段が前記可動筒部の回転方向位置を規制する回転規制手段を備えていることを特徴とする。
【００１５】
請求項５のものは、請求項３，４の何れかにおいて、少なくとも前記固定筒部と前記可動筒部との嵌合部が、前記取付基体の取付面と直角方向に対し傾斜していることを特徴とする。
【００１６】
【作用及び発明の効果】
以上のように本発明は、取付基体への水栓本体の取付基部に筒状の伸縮自在部を設けて水栓本体の吐止水操作部及び吐水口の位置を調節可能となしたもので、本発明によれば、その伸縮自在部を調節することによって、吐水口の位置や吐止水操作部の位置を使用者にとって適した位置に変更調節することが可能となる。
【００１７】
本発明の水栓装置はまた、一旦設置した後において水栓使用者が必要に応じて伸縮自在部を操作することで、吐水口等の位置を調節することが可能であり、使い勝手が良好である利点を有している。
【００１８】
本発明の水栓装置では、伸縮自在部が筒状をなしていることから、水栓本体に対し給水を行う配管を、その筒状の伸縮自在部の内部に挿通してその伸縮自在部により配管を隠蔽状態とし、取付基体上において配管が外部に露出するのを防止できる。これにより水栓装置周りを煩雑感のないすっきりとしたものとすることができ、その美観を良好に保つことができる。
【００１９】
本発明は、水栓本体に水と湯との混合弁部の内蔵された混合水栓装置に対して好適に適用可能である。
特に本発明はシングルレバー式の混合水栓装置に適用して好適である。
【００２０】
本発明においては、伸縮自在部を三次元方向に変形可能で且つ変形後にその変形形状を保持する蛇腹形状部を有するものとなしておくことができる（請求項２）。
このようになしておいた場合、吐水口や吐止水操作部等を三次元方向に位置調節することが可能となり、それら吐水口や吐止水操作部等の位置を使用者にとって最も使用し易い最適位置に持ち来すことが可能となる。
従って例えば車椅子を使用する身体障害者が水栓装置を使用するに際し、車椅子に腰を掛けたままでも或いはまた特に腰を曲げなくても容易且つ楽に水栓装置を使用できるようになる。
【００２１】
本発明では伸縮自在部を、固定筒部と、固定筒部に対し軸心方向に摺動可能に嵌合する可動筒部と、可動筒部の固定筒部に対する軸心方向の相対関係位置を固定する固定手段とを有するものとなしておくことができる（請求項３）。
【００２２】
ここで固定手段は、可動筒部の回転方向位置を規制する回転規制手段を備えておくことが望ましい（請求項４）。
このようにすることで可動筒部、ひいては水栓本体を常に適正な回転方向位置に位置させた状態で使用することが可能となる。
【００２３】
更にこのように固定筒部に対して可動筒部を摺動可能に嵌合する場合において、それらの嵌合部を、取付基体の取付面と直角方向に対し傾斜させておくことができる（請求項５）。
そして例えばその傾斜方向を前方側への傾斜としておけば、嵌合部に沿って可動筒部を摺動させることで、水栓本体に設けられた吐水口や吐止水操作部等を上下方向に調節できるとともに、前後方向にも調節することが可能となる。
但し場合によってその傾斜方向を後方側への傾斜としておくことも可能である。
【００２４】
【実施例】
次に本発明の実施例を図面に基づいて詳しく説明する。
図１〜図３は本例の水栓装置（混合水栓装置）を示したもので、同図において１０はカウンターや洗面器等の取付基体で、１２は水栓本体である。
水栓本体１２からは吐水管１４が前方に延び出していて、その先端に吐水口１６が設けられている。
【００２５】
水栓本体１２の上部には操作部１８が設けられている。
操作部１８はシングルレバー式のもので、この操作部１８を左右回動操作することで吐水の温度が調節され、また上下回動操作することで吐止水を含む水量調節が行われる。
【００２６】
図３に示すように水栓本体１２には弁部２２が内蔵されている。
弁部２２はセラミックディスクから成る固定弁体２４と、その上面を移動する可動弁体２６とを有しており、その可動弁体２６に対し、操作部１８が駆動アーム２０を介して作動的に連結されている。
【００２７】
この弁部２２は、操作部１８が左右方向に回動操作されると、その動きが駆動アーム２０を介して可動弁体２６に伝えられ、可動弁体２６が固定弁体２４の上面を回転運動して水と湯との混合比率を調節変化させる。即ち吐水の温度を調節する。
一方操作部１８が上下方向に回動操作されると、同様にその動きが駆動アーム２０を介して可動弁体２６に伝えられ、可動弁体２６が固定弁体２４の上面を図３中左右方向に摺動運動して吐水，止水及び水量調節を行う。
【００２８】
即ちこの例の水栓装置は、操作部１８が吐止水及び水量調節を行う吐止水操作部と、吐水の温度調節を行う温調操作部とを兼ねており、更にまた弁部２２が、吐止水及び水量調節のための吐止水弁部と、水と湯との混合比率を調節する混合弁部との２つの弁機能を備えている。
【００２９】
水栓本体１２の取付基体１０への取付基部には、吐水口１６及び操作部１８の取付基体１０に対する関係位置を調節する筒状の伸縮自在部２８が設けられている。
そしてその内部に、水栓本体１２に水，湯を供給する可撓性のホースから成る一対のサプライ管（配管）３４が挿通されている。
【００３０】
これら一対のサプライ管３４は、取付基体１０の水栓取付孔３２を通って取付基体１０の裏側から表側へと上向きに突き出しており、それぞれの上端部が水栓本体１２に対して接続されている。
これら一対のサプライ管３４は、取付基体１０の上側において水栓本体１２との間の部分が伸縮自在部２８により隠蔽状態とされている。
【００３１】
伸縮自在部２８は、その主体を成す蛇腹筒部（蛇腹形状部）３６と、その上端部の剛性の部材から成る雄嵌合部３８と、下端部の同じく剛性の部材から成る雌嵌合部４０とを有している。
蛇腹筒部３６は、ここではステンレス製の部材であって外力により三次元方向に変形可能であり、且つ外力を取り除いた後においてその変形形状を保持する機能を有する。
【００３２】
上記雄嵌合部３８は水栓本体１２と嵌合する部分であって、この雄嵌合部３８に対し、水栓本体１２の下端部に形成された雌嵌合部４２が外嵌状態に嵌合されている。
そしてそれら雄嵌合部３８と雌嵌合部４２とが、雌嵌合部４２を側面から貫通して雄嵌合部３８の雌ねじ孔にねじ込まれた締結ビス４４により互いに締結固定されている。
ここで締結ビス４４は化粧キャップ４６により隠蔽状態とされている。
【００３３】
尚、水栓本体１２における下端部の雌嵌合部４２は、後述の固定具４８に対して外嵌可能なものであって、本例のように伸縮自在部２８を介さないで水栓本体１２を取付基体１０に取り付ける際、取付基体１０に装着された固定具４８に外嵌する状態で、その固定具４８を介して取付基体１０に取り付けられる。
【００３４】
伸縮自在部２８における下端部の雌嵌合部４０は、固定具４８を介して取付基体１０に取付固定されている。
固定具４８は円筒状の部材であって、取付基体１０の裏面に位置させられた一対の爪５０に対し、対応する一対のボルト５２で結合されており、そのボルト５２のねじ込みにより固定具４８が爪５０とともに取付基体１０を表裏両側から強く挟み込み、その挟持力によって固定具４８が取付基体１０に固定されている。
【００３５】
この固定具４８は、取付基体１０に対しその上面側、即ち取付面５８側から取付基体１０に取付可能である。
具体的には、一対の爪５０を一対のボルト５２により吊った状態で、それらを閉方向（互いの先端が接近する方向）に回転移動させておき、その状態で一対の爪５０を取付面５８の側から取付基体１０の水栓取付孔３２に挿通し、一対の爪５０のそれぞれを取付基体１０の裏側に位置させる。
【００３６】
その状態でボルト５２の回転操作により一対の爪５０を開方向に回転移動させて、各爪５０の先端部を取付基体１０の裏面に対向して位置させ、その状態でボルト５２をねじ込んで行くと、ここにおいて固定具４８と一対の爪５０とが取付基体１０を表裏両側から強く挟み込み、ここにおいて固定具４８が取付基体１０の取付面５８に固定状態となる。
【００３７】
而してそのようにして固定された固定具４８に対し、伸縮自在部２８における雌嵌合部４０が外嵌され、更にその雌嵌合部４０を側面から貫通して締結ビス５４が固定具４８の雌ねじ孔にねじ込まれることで、雌嵌合部４０と雄嵌合部としての固定具４８とが互いに締結され、ここにおいて伸縮自在部２８が固定具４８を介し取付基体１０に固定状態となる。
即ち伸縮自在部２８において水栓本体１２が取付基体１０に固定状態となる。
ここで締結ビス５４は化粧キャップ５６により隠蔽状態とされている。
【００３８】
尚この固定具４８は、本来は水栓本体１２を直接取付基体１０に固定する際の固定具となるものであって、ここでは伸縮自在部２８の下端部が固定具４８に対し、また上端部が水栓本体１２に対しそれぞれ結合可能な構成とされている。
従って本例の伸縮自在部２８は、既に設置されている水栓本体１２に対し、後付けでその水栓本体１２と取付基体１０との間に介挿状態で取付可能なものである。
【００３９】
以上のような本例の水栓装置の場合、蛇腹筒部３６を三次元方向に変形させることで、水栓本体１２の取付基体１０に対する関係位置を三次元方向に調節可能である。
即ちその水栓本体１２に設けられた吐水口１６，操作部１８の位置を、図１に示しているように蛇腹筒部３６の変形によって三次元方向に自在に調節し、更に調節後においてその調節位置を保持可能である。
【００４０】
従って本例の水栓装置の場合、吐水口１６の位置や操作部１８の位置或いはその傾き等を使用者にとって最も適した最適の位置に持ち来すことができる。
それ故例えば車椅子を使用する身体障害者が水栓装置を使用するに際し、車椅子に腰を掛けたままでも或いはまた特に腰を曲げなくても容易且つ楽に水栓装置を使用できるようになる。
【００４１】
また本例の水栓装置の場合、水栓装置を一旦設置した後において水栓使用者が必要に応じ伸縮自在部２８を変形させることで、吐水口１６等の位置や傾き等を調節することができ、使い勝手が良好である。
【００４２】
更に本例の水栓装置では伸縮自在部２８の内部にサプライ管３４が隠蔽状態とされるため、取付基体１０上においてサプライ管３４等の配管が外部に露出せず、従って水栓装置周りが煩雑感のないすっきりとしたものとなり、その美観を良好に保つことができる。
【００４３】
図４は本発明の他の実施例を示している。
この例は伸縮自在部２８に固定筒部６０と、水栓本体１２に一体に構成した可動筒部６２とを具備させて、その可動筒部６２を固定筒部６０に対し軸心方向に摺動可能に外嵌し、そしてそれらの内部に可撓性のホースから成る一対のサプライ管３４を隠蔽状態に収容したものである。
【００４４】
ここで固定筒部６０には、取付基体１０の水栓取付孔３２を貫通して下向きに突き出す雄ねじ管６３が一体に形成してあり、取付基体１０の裏側においてその雄ねじ管６３に締付ナット６４をねじ込むことで、固定筒部６０が取付基体１０に固定されている。
【００４５】
また固定筒部６０は、そのほぼ全体が取付基体１０の取付面５８と直角方向に対し角度αで前方に傾斜している。即ち固定筒部６０と可動筒部６２との嵌合部が取付面５８と直角方向に対し角度αで前方に傾斜している。
その結果として水栓本体１２もまた、その軸心が角度αで前方に傾斜した状態で取付基体１０に取付固定されている。
【００４６】
固定筒部６０の外周面には、その軸心方向と平行に縦の溝６６が形成されている。
一方可動筒部６２には貫通の雌ねじ孔が形成されていてそこに固定ねじ６８が螺合され、その固定ねじ６８の先端が溝６６の底部に強く当接可能とされている。
【００４７】
この例の水栓装置の場合、固定ねじ６８を緩めた状態で可動筒部６２を固定筒部６０に対し、それらの軸心方向に摺動させることで水栓本体１２全体の上下方向及び前後方向の位置を変更し調節することができる。
而して調節後において固定ねじ６８を強くねじ込むことで、水栓本体１２をその調節位置において軸心方向にもまた回転方向にも固定することができる。
本例では固定ねじ６８と溝６６とが固定手段及び回転規制手段を構成している。
【００４８】
伸縮自在部２８における固定筒部６０の上端部外周面には、径方向に弾性を有する係合突部が設けられている。この例ではその係合突部が、固定筒部６０の外周面の環状溝に弾性的に装着されたＯリング７０にて構成されている。
一方可動筒部６２の内周面には、軸心方向に所定間隔で複数の環状の係合凹部７２が設けられており、可動筒部６２が固定筒部６０に外嵌した状態で軸心方向に摺動したとき、所定位置において係合突部としてのＯリング７０が係合凹部７２に係合して、そこでクリック感を発生するようになっている。
【００４９】
本例の水栓装置においても、伸縮自在部２８の調節操作によって、具体的には固定ねじ６８を緩めた状態で可動筒部６２を固定筒部６０に対し軸心方向に摺動させて、それらの相対関係位置を調節することで、水栓本体１２の取付基体１０に対する関係位置、具体的には吐水口１６と操作部１８との位置を調節することができる。
また調節後において固定ねじ６８を強くねじ込むことで、吐水口１６及び操作部１８の位置を調節位置に固定することができる。
【００５０】
かかる本例の水栓装置では、水栓本体１２が回転規制されており、従って水栓本体１２を常に適正な回転方向に位置させた状態でこれを使用することができる。
【００５１】
また本例では伸縮自在部２８が全体的に前方に傾斜しているため、伸縮自在部２８を伸縮操作するだけで、吐水口１６及び操作部１８の位置を前後方向に、また上下方向に調節することができる。
【００５２】
以上本発明の実施例を詳述したがこれはあくまで一例示である。
例えば本発明においては水栓本体を単に高さ方向にのみ位置調節するようになすことも可能であるなど、本発明はその主旨を逸脱しない範囲において種々変更を加えた形態で構成可能である。
【図面の簡単な説明】
【図１】本発明の一実施例である水栓装置を外観状態で示す図である。
【図２】同実施例の水栓装置を各部材に分解して示す図である。
【図３】同実施例の水栓装置の断面図である。
【図４】本発明の他の実施例を示す図である。
【図５】従来公知の水栓装置の一例を示す図である。
【符号の説明】
１０　取付基体
１２　水栓本体
１６　吐水口
１８　操作部
２２　弁部
２８　伸縮自在部
３４　サプライ管（配管）
３６　蛇腹筒部
５８　取付面
６０　固定筒部
６２　可動筒部
６６　溝
６８　固定ねじ
α　　角度
【図１】
2004092327.tif 000003
【図２】
2004092327.tif 000004
【図３】
2004092327.tif 000005
【図４】
2004092327.tif 000006
【図５】
2004092327.tif 000007